(57)【要約】      （修正有）【課題】予め設定されていた解錠信号を入力することの他に予め設定されている解錠条件を満たす場合のみ、金庫のロック状態を解除させる。【解決手段】システムは、使用者操作によるキー制御信号、設定解除信号、設定解除条件及び解錠信号を出力する入力装置１０２と、入力装置１０２より出力される設定解除信号と設定解除条件とを入力されて保存し、入力装置１０２から出力される解錠信号を受信し、保存された設定解除信号と比べて、同様であるか否かを判断し、同様である場合は、保存されていた設定解除条件を満たしているか否かを判断し、設定解除条件を満足している場合にはロック解除信号を出力する主制御装置２００と、主制御装置２００から出力されるロック解除信号を入力され、ロック状態を解除する駆動装置２５０と、駆動装置２５０の駆動によりロック・アンロック状態が変更されるロック・アンロック装置２６０とを含む。【選択図】図２
2007191993.tif 000002
【特許請求の範囲】
【請求項１】
使用者操作によるキー制御信号、設定解除信号、設定解除条件及び解錠信号を出力する入力装置と、
前記入力装置から出力される設定解除信号と設定解除条件とを入力されて保存し、前記入力装置から出力される解錠信号を受信し、前記保存された設定解除信号と比べて、同様であるか否かを判断し、解錠信号が同様であると、保存された前記設定解除条件を満たしているか否かを判断し、前記設定解除条件を満足している場合にはロック解除信号を出力する主制御装置と、
前記主制御装置から出力されるロック解除信号を入力されてロック状態を解除する駆動装置と、
前記駆動装置によりロック・アンロック状態が変わるロック・アンロック装置とを含むことを特徴とする解錠条件設定式のロック・アンロックシステム。
【請求項２】
前記主制御装置は、
前記入力装置から出力される設定解除信号と、設定解除条件及びロック・アンロックシステムを運営するための運営プログラムが貯蔵されるメモリ部と、
前記入力装置から出力される解錠信号を入力され、前記メモリ部に保存された設定解除信号と比較して、同様であるか否かを判断し、解錠信号が同様であると、前記メモリ部に保存された設定解除条件を満たしているか否かを判断し、前記設定解除条件を満たしていれば、ロック解除信号を出力する解錠制御部と、
前記メモリ部に貯蔵された運営プログラム及び前記入力装置から出力されるキー制御信号によって、前記メモリ部及び前記解錠制御部をコントロールする主制御部とを含むことを特徴とする請求項１に記載の解錠条件設定式ロック・アンロックシステム。
【請求項３】
前記解錠制御部は、
前記入力装置から出力される解錠信号を入力され、前記メモリ部に保存された設定解除信号と比べて、同様であるか否かを判断する解錠信号比較モジュールと、
前記解錠信号比較モジュールにより、前記解錠信号と前記設定解除信号とが同様であると認証され、次いで前記メモリ部に保存された設定解除条件として解錠時刻が設定されている場合、前記入力装置を介して入力される解錠信号が前記解錠時刻に入力されたか否かを判断し、解錠時刻に入力された場合、ロック解除信号を出力する時間設定比較モジュールとを含むことを特徴とする請求項２に記載の解錠条件設定式のロック・アンロックシステム。
【請求項４】
前記解錠制御部は、
前記入力装置から出力される解錠信号を入力され、前記メモリ部に保存された設定解除信号と比べて、同様であるか否かを判断する解錠信号比較モジュールと、
前記解錠信号比較モジュールにより、前記解錠信号と前記設定解除信号とが同様であると認証され、次いで前記メモリ部に保存された設定解除条件として時間経過条件が設定されている場合、前記時間経過条件に相応する待機時間が経過されてから、ロック解除信号を出力する時間設定比較モジュールとを含むことを特徴とする請求項２に記載の解錠条件設定式のロック・アンロックシステム。
【請求項５】
前記解錠制御部は、
前記解錠信号比較モジュールにより、前記解錠信号と前記設定解除信号とが同様であると認証され、次いで前記メモリ部に保存された設定解除条件として解錠信号入力回数が設定されている場合、前記入力装置を介して入力される解錠信号の入力回数を前記解錠信号入力回数条件と比べて、解錠信号が前記解錠信号入力回数条件と同じ回数で入力される場合は、ロック解除信号を出力する回数設定比較モジュールをさらに含むことを請求項３または請求項４に記載の解錠条件設定式のロック・アンロックシステム。
【請求項６】
前記入力装置は、
使用者のキー入力による制御信号を出力するキー入力部と、
使用者の操作による解錠信号を出力する解錠信号入力部とを含むことを請求項１に記載の解錠条件設定式のロック・アンロックシステム。
【請求項７】
前記解錠条件設定式のロック・アンロックシステムは、
前記主制御装置の制御によって、作動状態をディスプレイする表示装置と、
前記主制御装置の制御によって、音声案内情報、作動音及び警告音を出力する音響装置とをさらに含むことを特徴とする請求項１ないし請求項６の何れかに記載の解錠条件設定式のロック・アンロックシステム。
【請求項８】
入力装置及びロック・アンロック装置を備えたロック・アンロックシステムの提供方法において、
(ａ)前記入力装置を介して入力される設定解除信号及び設定解除条件を入力されて保存するステップと
(ｂ)前記入力装置を介して入力される解錠信号を受信し、前記設定解除信号と比較して、その一致可否を判断するステップと、
(ｃ)解錠信号との一致が確認されると、保存された前記設定解除条件を満たしているか否かを判断し、前記設定解除条件を満たしている場合、前記ロック・アンロック装置におけるロック状態を解除するステップとを含むことを特徴とする解錠設定条件式のロック・アンロックシステム提供方法。
【請求項９】
前記(ｃ)ステップは、
(ｃ１.１)前記(ａ)ステップで入力された設定解除条件のうち、解錠信号入力回数条件が設定されたか否かを判断するステップと、
(ｃ２.１)回数条件が設定された場合、前記設定入力回数の解錠信号が入力されたか否かを判断するステップと、
(ｃ３.１)前記(ｃ２.１)ステップで判断した結果によって、前記設定入力回数に及ばなかった場合、前記入力装置を介して入力される解錠信号を受信し、解錠信号との一致可否を判断した後、一致する場合、解錠信号の入力回数を増加させ、前記(ｃ１.１)ステップに戻るステップと、
(ｃ４.１)前記(ｃ２.１)ステップの判断結果、前記設定入力回数に達した場合、前記ロック・アンロック装置におけるロック状態を解除するステップとを含むことを特徴とする請求項８に記載の解錠設定条件式のロック・アンロックシステム提供方法。
【請求項１０】
前記(ｃ)ステップは、
(ｃ１.２)前記(ａ)ステップで入力された設定解除条件のうち、解錠時刻条件が設定された否かを判断するステップと、
(ｃ２.２)解錠時刻の条件が設定された場合、前記設定解除時刻に解錠信号が入力されたか否かを判断するステップと、
(ｃ３.２)前記(ｃ２.２)ステップで判断した結果、前記設定解除時刻に解錠信号が入力された場合は、前記ロック・アンロック装置のロック状態を解除し、前記設定解除時刻に解錠信号が入力されなかった場合は、該手続きを終了するステップとを含むことを特徴とする請求項８に記載の解錠設定条件式のロック・アンロックシステム提供方法。
【請求項１１】
前記(ｃ)ステップは、
(ｃ１.３)前記(ａ)ステップで入力された前記設定解除条件のうち、時間経過条件が設定されたか否かを判断するステップと、
(ｃ２.３)時間経過の条件が設定された場合、前記時間経過の条件による時間が経過されてから，前記ロック・アンロック装置のロック状態を解除するステップとを含むことを特徴とする請求項８に記載の解錠設定条件式のロック・アンロックシステム提供方法。
【発明の詳細な説明】
【技術分野】
【０００１】
本発明は、解錠条件設定式のロック・アンロックシステム及び該提供方法に関するものであって、さらに詳しくは使用者が任意に時間条件又は入力回数条件などのような特定解錠条件を設定し、暗証番号などの解錠信号との一致が確認された上で、使用者により予め設定されている特定解錠条件を満たす場合に、ロック状態を解除する解錠条件設定式のロック・アンロックシステムに関する。
【背景技術】
【０００２】
一般に、銀行などのような企業や家庭、個人事務室などの室内には現金や貴重品又は保安を要する書類等を保管するための金庫が備えられている。このような金庫は、二重、三重の解錠・施錠装置を備えることから、現金や貴重品又は保安書類等を盗難から保護している。
【０００３】
このような金庫には、主に貯金通帳、遺言状、保険証、年金証書、印鑑書類、有価証券、税務資料、旅券などのような様々な重要書類等を火災から保護する耐火金庫と、現金、貴重品などの保管に用いられ、金庫内壁と金庫扉とに使われる鉄板の厚さと内部充填物の性能によって、外力より金庫を安全に保護することができる防盗金庫、前述した耐火金庫の内部に別の金庫をさらに備えることによって、耐火性や防盗性を兼ねた耐火性の防盗金庫及び耐火性を持たない単純な保管用鉄金庫などが使用されている。
【０００４】
このごろは、電子回路が備えられた電子開閉金庫、又は指紋認識を用いた指紋認識金庫など、最新技術、電子技術が組み合わされた特殊目的金庫が開発され、使用されている実情である。
【０００５】
しかしながら、かかる従来の技術により構成された金庫等において、それぞれの金庫のロック・アンロック装置を解除するために必要とされる暗証番号、鍵、又は指紋を入力すると、直ちにロック・アンロック装置の解除が行われるものの、強盗が侵入してきて金庫の内容物を要求する場合にも、仕方なくロック・アンロック装置を解除させ、内容物を強奪されるしかなかった。
【０００６】
さらに、従来技術のロック・アンロック装置は、解錠信号だけに焦点が合わせられ、解錠信号に対する解読が可能であれば、ロック・アンロック装置がすぐ解除されるため、保安に脆弱であるという問題をも抱えていた。
【発明の開示】
【発明が解決しようとする課題】
【０００７】
本発明は、前記問題等に鑑みて成されたものであって、該目的は、使用者が解錠信号の他に各種解錠条件を設定することができる解錠条件設定式のロック・アンロックシステムを提供することにある。
【課題を解決するための手段】
【０００８】
前述した本発明の目的を達成するために、本発明の望ましい一実施例によれば、使用者操作によるキー制御信号、設定解除信号、設定解除条件及び解錠信号を出力する入力装置と、前記入力装置より出力される設定解除信号と設定解除条件とを入力されて保存し、前記入力装置から出力される解錠信号を受信し、前記保存された設定解除信号と比べて、同様であるか否かを判断し、同様である場合は、保存されていた前記設定解除条件を満たしているか否かを判断し、前記設定解除条件を満足している場合にはロック解除信号を出力する主制御装置と、前記主制御装置から出力されるロック解除信号を入力され、ロック状態を解除する駆動装置と、前記駆動装置の駆動によりロック・アンロック状態が変更されるロック・アンロック装置とを含むことを特徴とする解錠条件設定式のロック・アンロックシステムが提供される。
【０００９】
また、前述した本発明の目的を達成するために、本発明の他の望ましい一実施例によれば、入力装置及びロック・アンロック装置を備えたロック・アンロックシステム提供方法において、(ａ)前記入力装置を介して入力される設定解除信号及び設定解除条件を入力されて保存するステップと、(ｂ)前記入力装置を介して入力される解錠信号を受信し、前記設定解除信号と比較して、その一致可否を判断するステップと、(ｃ)解錠信号との一致が確認されると、保存された前記設定解除条件を満たしているか否かを判断し、前記設定解除条件を満たしていると、前記ロック・アンロック装置におけるロック状態を解除するステップとを含むことを特徴とする解錠条件設定式のロック・アンロックシステム提供方法が提供される。
【発明の効果】
【００１０】
前述した本発明の解錠条件設定式のロック・アンロックシステム及び該提供方法によれば、現金又は貴重品などが保管されている金庫のロック状態を解除するために、予め設定されていた解錠信号を入力することの他に予め設定されている解錠条件を満たしている場合だけ、ロック状態を解除させることができるため、現金又は貴重品を盗難から効率に保護することができる。
【００１１】
また、本発明によれば、解錠信号が他人に知られた場合にも、解錠条件を満たさなければロック状態が解除できないため、保安の面からも極めて優れている。
【発明を実施するための最良の形態】
【００１２】
以下では、添付の図面を参照として本発明による解錠条件設定式のロック・アンロックシステムに対する望ましい実施例を詳しく説明する。
【００１３】
図１は、本発明の好ましい一実施例による解錠条件設定式のロック・アンロックシステムが適用された金庫の例示図である。
【００１４】
図１に示されたように、本発明の好ましい一実施例による解錠条件設定式のロック・アンロックシステムが適用された金庫は、本体１５０と、ヒンジ１３０と、開閉ドア１４０と、解錠条件設定式のロック・アンロックシステム１００とを含むことができる。
【００１５】
解錠条件設定式のロック・アンロックシステム１００は、金庫本体１５０の前面側へ設けられる開閉ドア１４０上に備えられ、使用者の設定による設定解除信号と設定解除条件とを入力されて保存することになり、ロック状態に設定された場合、使用者の入力する解錠信号と保存されていた設定解錠信号とを比較し、解錠信号との同一性が認定されると、次いで設定解除条件を満たしているか否かを判断し、設定解除条件を満たしている場合は、ロック状態を解除することになる。
【００１６】
開閉ドア１４０は、ヒンジ１３０により金庫本体１５０に開閉可能に取り付けられ、開閉ドア１４０上には開閉しやすくするための取ってが内向きに備えられ、使用者が容易に開閉ドア１４０を開閉することができるように構成することが好ましい。
【００１７】
図２は、本発明の望ましい一実施例による解錠条件設定式のロック・アンロックシステムの構成ブロック図である。
【００１８】
添付された図面を参照とし本発明による解錠条件設定式のロック・アンロックシステムについて詳しく説明する。
【００１９】
図２に示されたように、本発明の好ましい一実施例による解錠条件設定式のロック・アンロックシステム１００は、入力装置１０２、主制御装置２００、駆動装置２５０、及びロック・アンロックシステム２６０を含むことができる。
【００２０】
入力装置１０２は、使用者の操作によって、キー制御信号、設定解除信号、設定解除条件及び解錠信号を出力することになる。本発明による入力装置１０２は、さらに好ましく使用者のキー入力による制御信号を出力するキー入力部１０６と、使用者の操作による解錠信号を出力する解錠信号入力部１０４とを含むことができる。
【００２１】
キー入力部１０６は、常用の数字キーと機能キーとを包含するキーパッド形態の入力部が使用され、使用者がキーを操作することによって入力される設定解除信号と、設定解除条件と、各種キー制御信号とを出力することになる。
【００２２】
解錠信号入力部１０４は、使用者の操作により入力される解錠信号を印加されて出力することになる。そこで、解錠信号入力部１０４とキー入力部１０６とを一体に構成することも可能である。つまり、解錠信号としてキー入力部１０６を介して入力される暗証番号を利用する場合には、解錠信号入力部１０４とキー入力部１０６とを別体に構成しなくてもよい。
【００２３】
しかしながら、キー入力を通じた暗証番号の他に指紋認識、ＲＦＩＤ方式の近距離無線通信を用いた使用者識別カード、虹彩認識などのような識別方法を解錠信号として用いる場合には、このような識別方法に相応する指紋認識部、ＲＦＩＤ通信部、虹彩認識部などの解錠信号入力部１０４を別途に設けなければならない。このような解錠信号入力部１０４に関しては、公知された技術を採用しているため、これ以上詳しい説明は省略する。
【００２４】
主制御装置２００は、入力装置１０２から出力される設定解除信号と設定解除条件とを入力されて保存し、入力装置１０２から出力される解錠信号を入力され、保存された設定解除信号と比較し、解錠信号と同様であるか否かを判断し、次いで同様である場合は、保存された設定解除条件を満たしているか否かを判断して、設定解除条件を満たしている場合は、ロック解除信号を出力することになる。
【００２５】
主制御装置２００は、使用者が入力装置１０２を操作し、所望の設定解除信号と設定解除条件とを入力すると、これを印加され、一定の暗号化過程を通じて設定解除信号と設定解除条件とを保存する。即ち、設定解除信号として入力されるデータがキーパッドを用いた暗証番号である場合は、文字情報(数字を含む)を暗号化して保存することになり、暗証番号の他に指紋情報、虹彩情報などのような生体情報である場合は、該特徴点を探し出して暗号化し、保存することになる。また、近距離無線通信を用いた個人識別カードが設定解除信号として入力される場合は、個人識別カードの近距離無線通信用チップの固有番号を設定解除信号として保存することになる。さらに、暗号化過程を通さず、入力される設定解除信号をそのまま保存し、解錠信号と同様であるか否かを判定するのに利用することも可能である。
【００２６】
また、主制御装置２００は、使用者がロック・アンロック装置２６０におけるロック装置を解除するために入力装置１０２を介して解錠信号を入力する場合、入力される解錠信号を受信し、同一のアルゴリズムを利用し暗号化、或いは特徴点を抽出した後、暗号化過程などを介して、一定のアルゴリズムによって処理された解錠信号と保存されていた設定解除信号とが同様であるか否かを判断し、同様であることと認証される場合には、解錠条件の満足可否を判断し、解錠条件を満たしている場合にはロック解除信号を出力することになる。
【００２７】
さらに好ましく、本発明による主制御装置２００は、メモリ部２２０、解錠制御部２１０及び主制御部２１８を含むことができる。
【００２８】
メモリ部２２０は、入力装置１０２から出力される設定解除信号と設定解除条件及びロック・アンロックシステムを運営するための運営プログラムが保存される。通常、メモリ部は、ＥＥＰＲＯＭ(Electronically Erasable Programmable Read Only Memory)またはフラッシュ‐メモリが用いられるが、リアルタイムで処理されるデータの臨時貯蔵場所としてＲＡＭ(Random Access Memory)を含めて構成することもできる。このような運営プログラムは、周期的または使用者の意志によりアップデートされることも可能である。メモリ部２２０に保存される設定解除信号と設定解除条件とは、入力装置１０２から入力される使用者の操作によって保存されることになる。
【００２９】
主制御部２１８は、メモリ部２２０に保存された運営プログラムによって入力装置１０２、駆動装置２５０、メモリ部２２０及び解錠制御部２１０を制御し、本発明による解錠条件設定式のロック・アンロックシステム１００が作動できるようにする。
【００３０】
解錠制御部２１０は、入力装置１０２から出力される解錠信号を入力され、メモリ２２０に保存されている設定解除信号と比べて、解錠信号と同様であるか否かを判定し、同様である場合は、メモリ部２２０に保存されている設定解除条件を満たしているか否かを判断する。そして、設定解除条件を満たしている場合は、ロック解除信号を出力することになる。
【００３１】
また、本発明による解錠制御部２１０は、さらに好ましく解錠信号比較モジュール２１２、時間設定比較モジュール２１４及び回数設定比較モジュール２１６を含むことができる。
【００３２】
解錠信号比較モジュール２１２は、入力装置１０２から出力される解錠信号を受信し、メモリ部２２０に保存された設定解除信号と同様であるか否かを判断する。前述したように、設定解除信号が一定のアルゴリズムにより処理されかつ保存された場合、解錠信号比較モジュール２１２は、入力装置１０２を介して入力される解錠信号を同様のアルゴリズムにより処理した後、設定解除信号と同様であるか否かを判断することになる。
【００３３】
時間設定比較モジュール２１４は、解錠信号比較モジュール２１２により解錠信号と同様であると認定され、メモリ部２２０に保存された設定解除条件として解錠時刻が設けられた場合、入力装置１０２を介して入力される解錠信号が解錠時刻に入力されたか否かを判断し、解錠時刻に入力された場合はロック解除信号を出力することになる。例えば、使用者が、午前１０時に解錠信号が入力される時のみ、ロック・アンロック装置２６０のロック状態が解除できるように設定した場合、時間設定比較モジュール２１４は、使用者の解錠信号 入力時刻を判断し、午前１０時ではない場合にはロック・アンロック装置２６０のロック状態をそのまま保持するが、午前１０時に入力されたものと判断される場合には、ロック・アンロック装置２６０のロック状態を解除するためのロック解除信号を出力することになる。このような解錠時刻は、正確に設定することもでき、もしくは一定範囲内の時間として設定することも可能である。
【００３４】
また、本発明による時間設定比較モジュール２１４は、解錠信号比較モジュール２１２により解錠信号と同様であると認定され、メモリ部２２０に保存されている設定解除条件として時間経過条件が設けられた場合、時間経過条件に相応する待機時間が経過されてから、ロック解除信号を出力するように構成されることも可能である。つまり、使用者が正確な解錠信号の入力後、１０分が経過されてからロック・アンロック装置２６０のロック状態が解除できるように設定しておいた場合は、時間設定比較モジュール２１４は、解錠信号比較モジュール２１２により解錠信号と同様であると認定されてから１０分後にロック解除信号を出力することになる。
【００３５】
前述したように、時間条件の比較を行うために、本発明による時間設定比較モジュール２１４は、内部で時間測定モジュール(図示せず)を含めて、正確な時間を測定し得るように構成し得る。
【００３６】
回数設定比較モジュール２１６は、解錠信号比較モジュール２１２により解錠信号と同様であると認定され、メモリ部２２０に保存された設定解除条件として解錠信号入力回数条件が設定された場合、入力装置１０２を介して入力される解錠信号の入力回数を解錠信号入力回数の条件と比較し、解錠信号が解錠信号入力回数の条件と同じ回数で入力される場合、ロック解除信号を出力することになる。つまり、使用者により解錠条件として正確な解錠信号が三回入力された場合に、回数設定比較モジュール２１６は解錠信号比較モジュール２１２により解錠信号の認証が三回なされたか否かを判断し、認証が三回行われたら、ロック解除信号を出力することになる。このような認証過程において、誤りの解錠信号が入力されると、ロック解除過程を終了し、使用者は再び最初のロック解除過程から始めなければならない。
【００３７】
本発明による解錠制御部２１０は、前述したように設定解除信号と解錠信号との比較のための解除信号比較モジュール２１２、時間経過条件の比較のための時間設定比較モジュール２１４及び入力回数の比較のための回数設定比較モジュール２１６のうち、少なくとも一つ以上の比較モジュールを包含することができ、且つ、一つの時間設定比較モジュール２１４をもって解錠時刻条件比較と時間経過条件比較とを行なえるように構成することも可能である。
【００３８】
駆動装置２５０は、主制御装置２００から出力されるロック解除信号を受信し、ロック状態を解除することになり、そしてロック・アンロック装置２６０は駆動装置２５０の駆動によりロック・アンロック状態が変更される。このような駆動装置２５０及びロック・アンロック装置２６０は既に公知された様々な駆動装置２５０とロック・アンロック装置２６０が用いられる。
【００３９】
また、図２に示されたように、本発明による解錠条件設定式のロック・アンロックシステム１００は、表示装置１０８、音響装置２３０及び保存装置２４０をさらに含むことができる。
【００４０】
表示装置１０８は、主制御装置２００の制御によって、作動状態をディスプレイすることになる。表示装置１０８としては、ＬＥＤ又はＬＣＤなどのディスプレイ装置が用いられ、表示装置１０８には本発明による解錠条件設定式のロック・アンロックシステム１００を操作するための各種メニュー及び情報と作動状態などが表示される。
【００４１】
音響装置２３０は、主制御装置２００の制御によって、音声案内情報、作動音及び警告音を出力することになる。したがって、使用者の設定によって盗難防止機能を行えるように、解錠信号、あるいは解錠条件が不一致する場合に、警告音を出力し得るように構成することも可能である。
【００４２】
保存装置２４０は、本発明による解錠条件設定式のロック・アンロックシステム１００に用いられる各種応用プログラムと、ロック状態解除による各種データなどを貯蔵する。ロック状態の解除による時刻と情報をログデータとして貯蔵し、使用者がいつでもログを確認することによって、いつ、どのような方法で、ロック・アンロック装置２６０のロック状態を解除させたのかを確認することができる。
【００４３】
前述した本発明による解錠条件設定式のロック・アンロック装置は、金庫に適用された実施例を基準として述べたが、本発明による解錠条件設定式のロック・アンロックシステムは、金庫の他にもギフトボックスなどを含めた様々な物品のロック・アンロックシステムにも適用され得ることは、当業者にとって明白であろう。
【００４４】
図３は、本発明の望ましい一実施例による解錠条件設定式のロック・アンロックシステムの動作フローチャートである。
【００４５】
添付の図３を参照として、本発明の望ましい一実施例による解錠条件設定式のロック・アンロックシステムの作動過程を詳しく説明する。
【００４６】
まず、使用者が解錠条件設定式のロック・アンロックシステムを初めて使用する場合、若しくは設定解除信号と設定解除条件とを包含する解錠設定を変更しようとして、入力装置１０２を操作し、設定解除信号及び設定解除条件を入力すると、主制御装置２００は入力装置１０２から出力される解錠設定(即ち、設定解除信号と設定解除条件)を入力され、メモリ部２２０に保存する(Ｓ３００、Ｓ３０２)。この過程で入力される設定解除信号は一定のアルゴリズムにより暗号化されかつ保存されることができ、設定解除信号が映像信号である場合は、該映像を所定のアルゴリズムにより特徴点を取り出し、特定値を保存することも可能とする。また、近距離無線通信による使用者識別カードを用いる場合、使用者識別カードの固有値を設定解除信号として保存する。
【００４７】
次いで、ロック・アンロック装置２６０のロック状態を解除させるべく、使用者が入力装置１０２を介して解錠信号を入力すると、主制御装置２００は入力される解錠信号を受信し(Ｓ３０４)、受信される解錠信号とメモリ部２００に保存された設定解除信号とが一致するか否かを判断する(Ｓ３０６)。この過程で、設定解除信号が所定のアルゴリズムにより処理されかつ保存された場合は、入力される解錠信号もやはり同じアルゴリズムにより処理されてから、同様であるか否かが判断される。入力される解錠信号と保存された設定解除信号とが同様である場合は次の段階に進められるが、同様ではない場合にはロック状態の解除過程は終了することになる。
【００４８】
Ｓ３０６のステップで、入力された解錠信号と保存された設定解除信号との一致が認証された場合、主制御装置はメモリ部２２０に保存されている設定解除条件を参照としながら、次の設定解除条件によるロック状態の解除段階を行う。
【００４９】
主制御装置２００は、解錠信号の入力回数条件が設定されたか否かを判断した後(Ｓ３０８)、設定された場合は該入力回数条件によるロック状態の解除段階を行う。
【００５０】
先ず、解錠信号の入力回数が設定解除条件を満たしているか否かを判断する。設定された回数に及ばなかった場合は、入力装置１０２を介して解錠信号を受信した後(Ｓ３１２)、再び解錠信号の一致可否を判断し(Ｓ３１４)、解錠信号が一致したら、解錠信号の入力回数を増加させた後(Ｓ３１６)、解錠信号入力回数が保存されている設定解錠条件を満たしているか否かを判断する(Ｓ３１０)。判断の結果、解錠信号の入力回数条件が満たしていない場合は、Ｓ３１２ないしＳ３１０段階を繰り返して行うが、解錠信号の入力回数条件を満たしていれば、ロック状態の解除段階を行う(Ｓ３１０)。
【００５１】
次いで、主制御装置２００は、設定解除条件として、時間条件が設定されたか否かを判断する。該結果、設定されなかったと判断した場合には、ロック・アンロック装置２６０のロック状態を解除するが(Ｓ３２８)、設定されたと判断した場合には、時間条件によるロック状態の解除段階を行う(Ｓ３１８)。
【００５２】
時間条件が設定された場合、先ず、解錠時刻が設定されたか否かを判断して(Ｓ３２０)、解錠時刻が設定された場合は、入力装置を介して入力される解錠信号が予め設定された解錠時刻に入力されたか否かを判断する。次いで、予め設定された解錠時刻に解錠信号が入力されたと判断した場合は次の段階に進むが、設定された解錠時刻と異なる時刻に解錠信号が入力された場合は、ロック状態の解除過程を終了する(Ｓ３２２)。
【００５３】
しかし、解錠時刻の条件が設定されていなかったり、あるいは解錠時刻条件を満たしている場合には、また時間経過条件が設定されたか否かを判断する(Ｓ３２４)。時間経過条件が設けられている場合は、設定時間が経過されてから(Ｓ３２６)ロック・アンロック装置２６０のロック状態を解除する(Ｓ３２８)。また、時間経過の条件がない場合は、該時点でロック・アンロック装置２６０のロック状態を解除し、過程を終了する(Ｓ３２８)。
【００５４】
本発明の望ましい一実施例による解錠条件設定式のロック・アンロックシステムの提供方法は、前述した設定解除条件によるロック状態の解除過程、つまり解錠信号の入力回数条件設定、解錠時刻条件設定及び時間経過条件設定によるロック状態の解除過程のうち、少なくとも一つ以上の過程を含むことができる。
【００５５】
また、本発明の好ましい実施例による解錠条件設定式のロック・アンロックシステム提供方法は、前述した設定解除条件によるロック状態の解除過程、つまり、解錠信号の入力回数条件設定、解錠時刻条件設定及び時間経過条件設定によるロック状態の解除過程の手順に拘わらず、各条件設定によるロック状態の解除過程を任意の順番に組合わせて行われるように構成することも可能である。即ち、解錠時刻の条件設定及び時間経過の条件によるロック状態の解除過程を先に行ってから、解錠信号の入力回数条件設定による解錠過程を行うように構成することもできる。
【００５６】
前述したような過程を介して、本発明による解錠条件設定式のロック・アンロックシステム１００が提供されることになる。
【００５７】
前述した本発明の望ましい実施例は、説明のためにのみ開示されているものであって、本発明の属する技術分野において通常の知識を有する当業者であれば、本発明の思想と範囲内にて様々な修正、変形及び付け加えが可能でありながら、それにこのような修正、変形及び付け加えは、本発明の特許請求範囲に属するものと解釈されるべきのものである。
【図面の簡単な説明】
【００５８】
【図１】本発明の望ましい一実施例による解錠条件設定式のロック・アンロックシステムに適用された金庫の例示図である。
【図２】本発明の望ましい一実施例による解錠条件設定式のロック・アンロックシステムの構成ブロック図である。
【図３】本発明の望ましい一実施例による解錠条件設定式のロック・アンロックシステムの動作フローチャートである。
【符号の説明】
【００５９】
１００  解錠条件設定式のロック・アンロックシステム    
１０２  入力装置
１０８  表示装置
２００  主制御装置
２１０  解錠制御部
２１８  主制御部
２２０  メモリ部
２３０  音響装置
２４０  保存装置
２５０  駆動装置
２６０  ロック・アンロック装置
【図１】
2007191993.tif 000003
【図２】
2007191993.tif 000004
【図３】
2007191993.tif 000005